(57)【要約】【課題】本発明は、贈答用プレミアムギフトとして身凾内にＣＤ等をセットし販売するもので、特に外装ケース（紙製）の構造、機能面を生かし、安全保護性を持たせたプレミアム用ＣＤ等の紙ケースを提供する。【解決手段】本発明のプレミアム用ＣＤ等の紙ケースは一枚の厚紙で構成されているもので、組み立てられた紙ケース内に直接ＣＤ等を収納する紙ケースと、ＣＤ固定用台座を使用してこの台座の係止具にＣＤ等を嵌め込み収納する紙ケースを提供するものである。また、本発明のＣＤ等の紙ケースは、清酒等のプレミアムとしてＣＤ入りの紙ケースを添付するもので、いずれの紙ケースにおいても嵌合片を設け、例えば清酒の身凾の中仕切り部分にこの嵌合片を嵌め込むことで紙ケースは固定されると共に、収納したＣＤ等を保護することを可能とした紙ケースである。【選択図】図１
2004099107.tif 000002
【特許請求の範囲】
【請求項１】
中央部近傍に切り込みによる係止孔（ｋ）と側辺に貼着片（１５）と底面貼着片（１７）とを連設し、該底面貼着片には折れ線を介して中央部に嵌合凹部（２０）を形成してなる嵌合片（１８）を設けた正面板（１０）と、折れ線（ｎ）を介して背面板（１１）と、一方の側辺に折れ線を介して先端に差し込み片（ｆ）を設けた蓋板（１４）を連設し、前記背面板（１１）の上部に凹部状の切り込み線（ｔ）とその中央部に凹部状の底部に到達するＴ字状の切り込み（ｅ，ｅ）による嵌合凹部（２０ａ）を設けた嵌合片（１８ａ）を形成してなる紙ケースのブランクであり、該ブランクを折り畳み各貼着片を接着し組み立てた紙ケースの前記正面板の嵌合片（１８）と背面板の嵌合片（１８ａ）を下方に向かって垂直に起立させ、前記二箇所の嵌合片（１８，１８ａ）により中仕切り（５０）等に固定することを特徴としたプレミアム用ＣＤ等の紙ケース。
【請求項２】
底面板（２３）の両側に側面板（１６ｂ，１６ｂ）を介して中蓋板（１９，１９）と、該底面板の下辺には側面板（１６ｃ）と蓋板（１４）を設け、一方底面板（２３）の上辺には側面板（１６ａ）を介して中面板（２２）と折れ線を介して上面板（２１）とを連設し、前記上面板の上辺に貼着片（１５）を介して折り込み片（１７ａ）と中央部に切り欠きによる嵌合凹部（２０）を形成した嵌合片（１８）を設けた構成のＣＤ−ＲＯＭの紙ケースであって、前記嵌合片（１８）を下方に向かって垂直に起立させ、前記嵌合片を折り返した一箇所の嵌合片（１８）により中仕切り（５０）等に嵌合凹部（２０）を嵌め込み固定することを特徴としたプレミアム用ＣＤ等の紙ケース。
【請求項３】
背面板（１１）の両側辺に側面板（１６，１６）を設け、一方の側面板には貼着片（１５）を設け、他の一方の側面板には正面板（１０）とその上辺と下辺には面板（１３，１３）と各々の面板には差し込み片（１４，１４）を連接した構成であり、前記背面板（１１）の下辺に折れ線（ａ，ｂ）を介して折り込み片（１７ａ，１７ｂ）と中央部に切り欠きによる嵌合凹部（２０）を形成した嵌合片（１８）を設け、該嵌合片（１８）を下方に向かって垂直に起立させ、前記嵌合片を折り返した一箇所の嵌合片（１８）により中仕切り（５０）等に嵌合凹部（２０）を嵌め込み固定することを特徴としたプレミアム用ＣＤ等の紙ケース。
【請求項４】
前記紙ケースに、プラスチック製のＣＤ固定用台座（３０）を設けたことを特徴とする請求項２又は３に記載のプレミアム用ＣＤ等の紙ケース。
【請求項５】
前記紙ケースの表裏又は片面には、柄、模様等の印刷絵柄を設けたことを特徴とする請求項１、２又は３に記載のプレミアム用ＣＤ等の紙ケース。
【発明の詳細な説明】
【０００１】
【発明の属する技術分野】
本発明は清酒等における贈答用プレミアムギフトとして、化粧等を施した身凾内にＣＤ等をセットし販売するもので、特に外装ケース（紙製）の構造、機能面を生かし、安全保護性を持たせながら店頭でのディスプレイ性を向上させたプレミアム用ＣＤ等の紙ケースに関するものである。
【０００２】
【従来の技術】
従来より、ＣＤ（コンパクトディスク、以下ＣＤと記す）等の保護ケースとしては、保護性の問題等からプラスチックケースが多用されている。この場合、少々の圧力、衝撃などに対して中身のＣＤには影響が少ないように丈夫で、しかも軽量化されている。
一方、ＣＤケースとして紙製のケースも現在多くなっている。紙製のケースは一般的に多筒形式、或いはサック凾等が多く、この紙ケースとポリプロピレン（ＰＰ）等で成形したコンパクトディスクを固定する台座とを組合わせたものも採用されている。また最近ではＣＤ本体のみを直接入れる方法がある。特に、贈答用プレミアムギフトとして化粧等を施した身凾内にＣＤ、ＣＤ−ＲＯＭ、ＤＶＤ等をセットし販売するものにおいては、コンパクトディスク入りの紙ケースをそのまま身凾に収納した場合に、搬送等の際に衝撃や圧力によるコンパクトディスクが壊れる恐れがあり、プレミアムギフトとしての商品価値が低下する。
【０００３】
【発明が解決しようとする課題】
そこで本発明は、上記の問題を解決するためになされたもので、贈答用プレミアムギフトとして、化粧等を施した身凾内にＣＤ等をセットし販売するもので、特に外装ケース（紙製）の構造、機能面を生かし、安全保護性を持たせながら店頭でのディスプレイ性を向上させたプレミアム用ＣＤ等の紙ケースを提供するものである。
【０００４】
【課題を解決するための手段】
上記目的を達成するために、まず第１の発明では、
中央部近傍に係止孔（ｋ）と側辺に貼着片（１５）と底面貼着片（１７）とを連設し、この底面貼着片には中央部に嵌合凹部（２０）を設けた嵌合片（１８）とを設けた正面板（１０）と、折れ線（ｎ）を介して背面板（１１）と、一方の側片に先端に差し込み片（ｆ）を設けた蓋板（１４）を連設し、前記背面板（１１）の上部に凹部状の切り込み線（ｔ）とその中央部に凹部状の底部に到達するＴ字状の切り込み（ｅ，ｅ）による嵌合凹部（２０ａ）を設けた嵌合片（１８ａ）を形成してなる紙ケースであり、このブランクを折り畳み各貼着片を接着し組み立てた紙ケースの前記正面板の嵌合片（１８）と背面板の嵌合片（１８ａ）を下方に向かって垂直に起立させて中仕切り（５０）等に嵌合固定を可能としたプレミアム用ＣＤ等の紙ケースである。
【０００５】
また、本発明における第２の発明では、
底面板（２３）の両側に側面板（１６ｂ，１６ｂ）と中蓋板（１９，１９）と、この底面板の下辺には側面板（１６ｃ）と蓋板（１４）を設け、一方底面板（２３）の上辺には側面板（１６ａ）と中面板（２２）と上面板（２１）とを連設し、前記上面板の上辺に底面貼着片（１７）と折り込み片（１７ａ）と中央部に嵌合凹部（２０）を形成した嵌合片（１８）を設けた構成であり、前記嵌合片（１８）を下方に向かって垂直に起立させ、中仕切り（５０）等に嵌合凹部（２０）を嵌め込み固定を可能としたプレミアム用ＣＤ等の紙ケースである。
【０００６】
また、本発明における第３発明では、
背面板（１１）の両側辺に側面板（１６，１６）を設け、一方の側面板には貼着片（１５）を設け、他の一方の側面板には正面板（１０）とその上辺と下辺には面板（１３，１３）と各々の面板には差し込み片（１４，１４）を設けた構成であり、前記背面板（１１）の下辺に折れ線（ａ，ｂ）を介して折り込み片（１７ａ，１７ｂ）と中央部に切り欠きによる嵌合凹部（２０）を形成した嵌合片（１８）を設け、前記嵌合片（１８）を下方に向かって垂直に起立させ、中仕切り（５０）等に嵌合凹部（２０）を嵌め込み固定を可能としたＣＤ等の紙ケースである。
【０００７】
また、本発明における請求項２又は３に記載のＣＤ等の紙ケースにおいて、前記紙ケースに、プラスチック製のＣＤ固定用台座（３０）を貼着したことを特徴とするものである。
【０００８】
また、本発明における請求項１、２又は３に記載のＣＤ等の紙ケースにおいて、前記紙ケースの表裏には、柄、模様等の印刷絵柄を設けたことを特徴とするものである。
【０００９】
【発明の実施の形態】
本発明のプレミアム用ＣＤ等の紙ケースは一枚の厚紙で構成されているもので、組み立てられた紙ケース内に直接ＣＤ等を収納する紙ケースと、ＣＤ固定用台座を使用してこの台座の係止具にＣＤ等を嵌め込み収納する紙ケースを提供するものである。また、本発明のＣＤ等の紙ケースは、清酒等のプレミアムとしてＣＤ入りの紙ケースを添付するもので、本発明のいずれの紙ケースにおいても一箇所又は二箇所に嵌合片を設け、例えば清酒の身凾（化粧が施された贈答用等の化粧箱に入っている中凾）の中仕切り部分にこの嵌合片を嵌め込むことで紙ケースは固定されるので、収納したＣＤ等を保護することを可能とした紙ケースを提供するものである。
【００１０】
以下、図に基づき本発明の実施の形態を詳細に説明する。
図１は、本発明の一実施例におけるプレミアム用ＣＤ等の紙ケースの展開図である。
図１の展開図に示すように、中央部近傍に切り込みによる係止孔（ｋ）と一方の側辺に貼着片（１５）と下辺に底面貼着片（１７）とを連設し、この底面貼着片には中央部に嵌合凹部（２０）を設けた嵌合片（１８）を設けた正面板（１０）と、折れ線（ｎ）を介して背面板（１１）と、この上辺に先端に差し込み片（ｆ）を設けた蓋板（１４）を折れ線（ｍ）を介して連設し、前記背面板（１１）の上辺に凹部状の切り込み線（ｔ）とその中央部に凹部状の底部に到達するＴ字状の切り込み（ｅ，ｅ）による嵌合凹部（２０ａ）を設けた嵌合片（１８ａ）を形成してなる紙ケースである。この組み立ては、折れ線（ｎ）から内側に背面板を折り曲げ、端部を貼着片（１５）で接合し底面貼着片（１７）で底部を貼着して、ＣＤ等を直接収納した後、蓋板の差し込み（ｆ）を正面板の係止孔（ｋ）に挿入係止することで直接ＣＤを収納する紙ケースが得られる。
【００１１】
さらに、紙ケースの上部の嵌合片（１８）を垂直に折り立てると共に、下部の嵌合片（１８ａ）を切り込み線（ｔ）から押し出すように垂直に起立させることで、図５の一例に示すように、起立した二箇所の嵌合片（１８，１８ａ）を有する紙ケースとなり、この嵌合片の嵌合凹部（２０，２０ａ）を身凾（５５）の中仕切り（５０）等の上から差し込むことで、この紙ケースはしっかりと固定される。なお、収納するＣＤ等は限定されるものではなく、ＣＤ−ＲＯＭ、ＤＶＤ等目的に応じて収納することができる。
【００１２】
図２は、本発明の他の実施例におけるプレミアム用ＣＤ等の紙ケースの展開図である。
図２の展開図に示すように、底面板（２３）の両側に側面板（１６ｂ，１６ｂ）と中蓋板（１９，１９）と、この底面板の下辺には側面板（１６ｃ）と切り欠きによる係止孔（ｐ）を設けた蓋板（１４）を連設し、一方底面板（２３）の上辺には側面板（１６ａ）と差し込み片（ｆ）を有する中面板（２２）と折れ線を介して上面板（２１）を連設し、前記上面板の上辺に貼着片（１５）と折り込み片（１７ａ，１７ｂ）と中央部に嵌合凹部（２０）を形成した嵌合片（１８）を設けた構成である。この組み立ては、先ず、底面板（２３）に、図４に示すような、プラスチック製等によるＣＤ固定用台座（３０）を貼り付けた後、側面板（１６ｂ，１６ｂ，１６ｃ）を折り曲げると同時に中蓋板を内側に折り込み、中面板（２２）を手前に折り込むと同時に、上面板（２１）を折り返すように反対側に折り曲げ、差し込み片を係止孔に差し込むことで紙ケースが得られる。なお、折り返した上面板は接着剤等により中板面と貼り合わせることも可能である。
この紙ケースの場合においても、ＣＤ等を貼り付けたＣＤ固定用台座（３０）に固定して、嵌合片（１８）を折り返して嵌合凹部（２０）を身凾（５５）等の中仕切り（５０）の上から差し込むことで、この紙ケースはしっかりと固定される（図６参照）。
【００１３】
図３は、本発明の他の実施例におけるプレミアム用ＣＤ等の紙ケースの展開図である。
図３の展開図に示すように、背面板（１１）の両側辺に側面板（１６，１６）を設け、一方の側面板には貼着片（１５）を設け、他の一方の側面板には正面板（１０）とその上辺と下辺には面板（１３，１３）と各々の面板には差し込み片（１４，１４）を設けた構成である。この前記背面板（１１）の下辺に折れ線（ａ，ｂ）を介して折り込み片（１７ａ，１７ｂ）と中央部に切り欠きによる嵌合凹部（２０）を形成した嵌合片（１８）を設けたものである。この組み立ては、各折れ線から折り立てて貼着片（１５）を正面板の端部に貼り合わせる。この場合も前記同様に、背面板（１１）に、図４に示すような、ＣＤ固定用台座（３０）を貼り付けてＣＤ等を嵌め込み組み立てると良い。さらに、前記嵌合片（１８）を下方に向かって垂直に起立させて、前記同様に身凾の中仕切り（５０）等の上から嵌合片（１８）を折り返して嵌合凹部（２０）を嵌め込むことで、固定することができるプレミアム用ＣＤ等の紙ケースである。
【００１４】
また、本発明におけるいずれのＣＤ等の紙ケースにおいて、この紙ケースの表裏又は片面に、柄、模様等の印刷絵柄を設けることが可能である。
【００１５】
【発明の効果】
本発明は以上の構成であるから、下記に示す如き効果がある。
すなわち、本発明は贈答用プレミアムギフトとして身凾内にＣＤ、ＣＤ−ＲＯＭ、ＤＶＤ等をセットして販売するための紙ケースであり、その際、紙ケースの構造、機能面を生かし安全保護性を持たせながら店頭でのディスプレイ性を演出させるものである。
また、環境配慮型を考慮してプラスチック製の台座を使用しているが、容易に分別廃棄が可能である。さらに、本発明のＣＤ等の紙ケースには、嵌合凹部を有する嵌合片を一箇所又は二箇所に設けたことにより、容易に化粧箱等の中仕切り等に固定することができる等の優れた効果を奏する。
【図面の簡単な説明】
【図１】本発明の一実施例におけるプレミアム用ＣＤ等の紙ケースの展開図である。
【図２】本発明の他の実施例を示すプレミアム用ＣＤ等の紙ケースの展開図である。
【図３】本発明の他の実施例を示すプレミアム用ＣＤ等の紙ケースの展開図である。
【図４】ＣＤ等の固定用台座の説明図である。
【図５】本発明における紙ケースを身凾等の中仕切りに固定する方法を示すもので、（Ａ）は嵌合片の嵌合方法を示す説明図であり、（Ｂ）は中仕切りに嵌合された紙ケースを示す部分拡大図である。
【図６】本発明における紙ケースを身凾等の中仕切りに固定する方法の、他の一例を示すもので、（Ａ）は嵌合片の嵌合方法を示す説明図であり、（Ｂ）は中仕切りに嵌合された紙ケースを示す部分拡大図である。
【符号の説明】
１０……正面板
１１……背面板
１３……面板
１４……蓋板
１５……貼着片
１７……底面貼着片
１７ａ，１７ｂ…折り込み片
１８，１８ａ，２０，２０ａ…嵌合凹部
１９……中蓋板
２１……上面板
２２……中面板
２３……底面板
３０……ＣＤ固定台座
５０……中仕切り
ｅ……切り込み
ｆ……差し込み片
ｎ，ｍ…折れ線
ｋ……係止孔
【図１】
2004099107.tif 000003
【図２】
2004099107.tif 000004
【図３】
2004099107.tif 000005
【図４】
2004099107.tif 000006
【図５】
2004099107.tif 000007
【図６】
2004099107.tif 000008